(57)【要約】【課題】安価に能率よく多量生産しながら、施工現場では簡単に施工して、積層ブロックの横ずれを確実に防止する。ひとつの積層ブロックを軽くする。【解決手段】組立積層構造の門柱は、地面に固定される支柱１と、支柱１を挿通して複数段に積層される積層ブロック２とを備える。積層ブロック２は、ＧＲＣで筒状に成形された中空柱部３と、中空柱部３の上端開口部又は下端開口部の一方に、内側に突出して連結された連結プレート部４を備える。連結プレート部４は、支柱１を挿通して定位置に配置する貫通孔７を開口している。積層ブロック２の上端と下端には、積層される状態で嵌合される嵌合凸部５を一方に、他方には嵌合凸部５を嵌合する嵌合凹部６を設けている。門柱は、嵌合凸部５を嵌合凹部６に嵌合して、積層している中空柱部３の横ずれを阻止し、連結プレート部４の貫通孔７に支柱１を挿通して、連結プレート部４で横ずれを阻止する。【選択図】図１
2005248544.tif 000002
【特許請求の範囲】
【請求項１】
地面に垂直に固定される支柱(1)と、この支柱(1)を挿通して複数段に積層される積層ブロック(2)とを備える門柱において、
支柱(1)は、多角柱と円柱と楕円柱のいずれかであり、
積層ブロック(2)は、ＧＲＣでもって筒状に成形された中空柱部(3)と、この中空柱部(3)の上端開口部又は下端開口部の一方に、内側に突出して連結されてなる連結プレート部(4)を備えており、
連結プレート部(4)は支柱(1)を位置ずれしないように挿通する貫通孔(7)を開口して、この貫通孔(7)に支柱(1)を挿通して、連結プレート部(4)を定位置に配置しており、
積層ブロック(2)の上端と下端には、積層される状態で嵌合される嵌合凸部(5)を一方に、他方にはこの嵌合凸部(5)を嵌合する嵌合凹部(6)を設けており、
嵌合凸部(5)を嵌合凹部(6)に嵌合して、積層している中空柱部(3)の横ずれを阻止し、さらに、連結プレート部(4)の貫通孔(7)に支柱(1)を挿通して、連結プレート部(4)でもって横ずれを阻止するようにしてなる組立積層構造の門柱。
【請求項２】
支柱(1)が角パイプで、積層ブロック(2)の連結プレート部(4)には、角パイプを挿通する角孔の貫通孔(7)を開口している請求項１に記載される組立積層構造の門柱。
【請求項３】
中空柱部(3)の表面に化粧パネル(8)を固定しており、この化粧パネル(8)を固定する位置を中空柱部(3)の端面からずらせて、嵌合凸部(5)と嵌合凹部(6)を設けている請求項１に記載される組立積層構造の門柱。
【請求項４】
中空柱部(3)の厚さを、連結プレート部(4)を設けている端面に向かって次第に厚くなるように、中空柱部(3)の内面をテーパー面としている請求項１に記載される組立積層構造の門柱。
【請求項５】
中空柱部(3)の下端開口部に連結プレート部(4)を連結している請求項１又は４に記載される組立積層構造の門柱。
【発明の詳細な説明】
【技術分野】
【０００１】
本発明は、施工現場で積層して構築できる組立積層構造の門柱に関する。
【背景技術】
【０００２】
現在もっとも普及している門柱は、施工現場において、モルタルを使用して構築される（特許文献１参照）。この門柱は、ブロックを積層し、ブロックの内部にモルタルを充填して構築される。この構造の門柱は、モルタルを使用する、いわゆる湿式工法で構築されるので、簡単に、しかも速やかに構築できない欠点がある。
【０００３】
この欠点を解消するために、施工現場で積層して構築できる門柱が開発されている（特許文献２及び３参照）。
特許文献２に記載される門柱は、地面に２本のロッドを固定し、このロッドに、積層ブロックに設けた挿通孔を入れて積層する。この構造の門柱は、積層ブロックを安価に多量生産するのが難しい。それは、積層位置がずれないように、２本のロッドを挿通する挿通孔を一体的に成形するのが難しいからである。とくに、積層ブロックをコンクリート製とする場合、この挿通孔を正確な位置に設けるのが難しい。また、この構造の門柱は、積層ブロックを多段に位置ずれしないように、綺麗に積層するのも難しい。挿通孔の位置がずれると、積層位置がずれるからである。さらに、この構造の門柱は、積層ブロックをコンクリート製とする場合、挿通孔を成形している部分が破損すると、積層ブロックの位置がずれてしまう欠点もある。
【０００４】
また、特許文献３に記載される門柱は、積層ブロックにスタッドボルトを貫通させている。この門柱は、スタッドボルトを連結して、多段に積層する積層ブロックを連結している。この構造の門柱は、特許文献２と同じように、積層ブロックの製造が難しい。とくに積層ブロックをコンクリート製とする場合、安価に多量生産できない。また、この公報には、上下に積層する筒状の積層ブロックを、固定片を使用して内面で固定する構造の門柱も記載される。この構造の門柱は、積層ブロックの内部で連結するので、簡単に施工できない欠点がある。
【特許文献１】特開２００２−１７４０８６号公報
【特許文献２】特開平７−２６９２５７号公報
【特許文献３】特開平８−１３９６２号公報
【発明の開示】
【発明が解決しようとする課題】
【０００５】
本発明は、従来の組立積層構造の門柱が有する以上の欠点を解決することを目的に開発されたものである。本発明の重要な目的は、安価に能率よく多量生産できると共に、施工現場では簡単に施工して、積層ブロックの横ずれを確実に防止でき、さらにひとつの積層ブロックを軽くして、安楽に綺麗に施工できる組立積層構造の門柱を提供することにある。
【課題を解決するための手段】
【０００６】
本発明の組立積層構造の門柱は、地面に垂直に固定される支柱１と、この支柱１を挿通して複数段に積層される積層ブロック２とを備える。支柱１は、多角柱と円柱と楕円柱のいずれかである。積層ブロック２は、ＧＲＣでもって筒状に成形された中空柱部３と、この中空柱部３の上端開口部又は下端開口部の一方に、内側に突出して連結されてなる連結プレート部４を備えている。連結プレート部４は、支柱１を位置ずれしないように挿通する貫通孔７を開口して、この貫通孔７に支柱１を挿通して、連結プレート部４を定位置に配置している。積層ブロック２の上端と下端には、積層される状態で嵌合される嵌合凸部５を一方に、他方にはこの嵌合凸部５を嵌合する嵌合凹部６を設けている。この門柱は、嵌合凸部５を嵌合凹部６に嵌合して、積層している中空柱部３の横ずれを阻止し、さらに、連結プレート部４の貫通孔７に支柱１を挿通して、連結プレート部４でもって横ずれを阻止する。
【０００７】
本発明の門柱は、支柱１を角パイプとして、積層ブロック２の連結プレート部４には、角パイプを挿通する角孔の貫通孔７を開口することができる。本発明の門柱は、中空柱部３の表面に化粧パネル８を固定すると共に、この化粧パネル８を固定する位置を中空柱部３の端面からずらせて、嵌合凸部５と嵌合凹部６を設けることができる。本発明の門柱は、中空柱部３の厚さを、連結プレート部４を設けている端面に向かって次第に厚くなるように、中空柱部３の内面をテーパー面とすることができる。さらに、本発明の門柱は、中空柱部３の下端開口部に連結プレート部４を連結することができる。
【発明の効果】
【０００８】
本発明の門柱は、安価に能率よく多量生産できると共に、施工現場では簡単に施工して、積層ブロックの横ずれを確実に防止できる特長がある。それは、本発明の門柱が、筒状に成形された中空柱部と、この中空柱部の開口部に、内側に突出して連結している連結プレート部とを備える積層ブロックを、地面に固定される支柱を挿通して複数段に積層すると共に、積層される積層ブロックの上端と下端には、一方に嵌合凸部を、他方にはこの嵌合凸部を嵌合する嵌合凹部を設けて積層される状態で嵌合させているからである。この構造の門柱は、嵌合凸部を嵌合凹部に嵌合して、積層している中空柱部の横ずれを阻止し、さらに、連結プレート部の貫通孔に支柱を挿通して、連結プレート部でもって横ずれを阻止する。したがって、支柱に連結プレート部を挿通しながら積層ブロックを積層し、積層される複数の積層ブロック同士を嵌合させて連結するので、極めて簡単に施工しながら、積層ブロックの位置ずれを確実に防止して、安楽に綺麗に施工できる。さらに、積層ブロックの中空柱部は、ＧＲＣで筒状に成形しているので、ひとつの積層ブロックを軽くして、楽に運搬しながら施工を簡単にできる。
【発明を実施するための最良の形態】
【０００９】
以下、本発明の実施例を図面に基づいて説明する。ただし、以下に示す実施例は、本発明の技術思想を具体化するための門柱を例示するものであって、本発明は門柱を以下のものに特定しない。
【００１０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１１】
図１ないし図５に示す組立積層構造の門柱は、地面に垂直に固定される支柱１と、この支柱１を挿通して複数段に積層される積層ブロック２とを備える。
【００１２】
支柱１は金属パイプで、図の支柱１は、下端の周囲にモルタル１２を充填して地面に垂直に固定している。支柱は、地面に深く埋設して、モルタルを使用しないで固定することもできる。図の支柱１は、化粧基礎ユニット１１を介して地面に固定している。化粧基礎ユニット１１は、セメントと充填材と水にガラス繊維を混合して成形しているＧＲＣで製作している。この化粧基礎ユニット１１は、支柱１を挿通する角パイプ部１１Ａの上端にフランジ部１１Ｂを連結している。フランジ部１１Ｂは、積層ブロック２の外形よりも大きく、積層ブロック２の外側で地面をカバーしている。
【００１３】
支柱１は金属の四角柱である。金属には、アルミニウム、ステンレス、スズや亜鉛メッキをした鉄等、耐腐食性の金属が適している。図の支柱１は、中空の角パイプを使用するが、支柱には、内部を中空としないものも使用できる。また、支柱には、四角柱でない多角柱や円柱、あるいは楕円柱とすることができる。多角柱や楕円柱とする支柱は、積層ブロックを水平面内で回転しないように積層できる。
【００１４】
積層ブロック２は、筒状に成形された中空柱部３と、この中空柱部３の上端開口部又は下端開口部の一方に、内側に突出して連結されてなる連結プレート部４を備えており、全体をＧＲＣで成形している。図の積層ブロック２は、下端開口部に連結プレート部４を設けている。この積層ブロック２は、上下反転して使用すると、上端開口部に連結プレート部４が設けられる。
【００１５】
積層ブロック２は、図５に示すように、中空柱部３を四角筒状としている。ただし、本発明の門柱は、積層ブロックを必ずしも四角筒状とせず、四角形以外の筒状、円筒状、楕円筒状等に成形することもできる。図の積層ブロック２は、中空柱部３の表面に化粧パネル８を固定している。化粧パネル８は、セメントに軽量骨材を混合しているモルタルを成形して製作される。この化粧パネル８は、表面を塗料で着色し、あるいは塗料を混合して着色している。この化粧パネル８は、積層ブロック２を軽くしながらその表面を綺麗に装飾できる。ただし、化粧パネル８には、タイルやその他の耐候性の他のパネルを使用することができる。化粧パネル８は、接着して中空柱部３の表面に固定される。
【００１６】
積層ブロック２は、水平面内で位置ずれしないで積層できるように、中空柱部３の上端と下端に、積層される状態で嵌合される嵌合凸部５を一方に、他方にはこの嵌合凸部５を嵌合する嵌合凹部６を設けている。多段に積層される積層ブロック２は、嵌合凸部５を嵌合凹部６に嵌合して、積層される中空柱部３の横ずれを阻止している。
【００１７】
図の積層ブロック２は、中空柱部３の表面に固定する化粧パネル８で、嵌合凸部５と嵌合凹部６を設けている。図２の積層ブロック２は、化粧パネル８を固定する位置を中空柱部３の端面からずらせて、嵌合凸部５と嵌合凹部６を設けている。この図において、上に積層される積層ブロック２の下端に嵌合凸部５を、下に積層される積層ブロック２の上端に嵌合凹部６を設けている。嵌合凸部５は、化粧パネル８の下端を中空柱部３の下端よりも上方にずらせて、中空柱部３を化粧パネル８から突出させて設けている。嵌合凹部６は、化粧パネル８の上端を中空柱部３の上端から上方にずらせて設けている。この構造は、ＧＲＣでもって中空柱部３を簡単な形状に成形して、嵌合凸部５と嵌合凹部６を設けることができるので、化粧パネル８で表面を綺麗に装飾している積層ブロック２を安価に多量生産できる。また、表面に固定する化粧パネル８の模様や色を変更して、種々のデザインの門柱を能率よく多量生産できる。
【００１８】
さらに、図２の積層ブロック２は、中空柱部３の厚さを、連結プレート部４を設けている端面に向かって、図において下方に向かって次第に厚くなるように、中空柱部３の内面をテーパー面としている。いいかえると、中空柱部３は、連結プレート部４を設けている端面に向かって、内形が小さくなるように内面をテーパー面に傾斜させている。この構造の積層ブロック２は、連結プレート部４との連結部分の強度を向上できる。とくに、図２に示すように、連結プレート部４が中空柱部３の下端に位置するように積層ブロック２を積層する門柱においては、荷重が作用する中空柱部３の下端の強度を向上できる。
【００１９】
積層ブロック２は、連結プレート部４の貫通孔７に支柱１を挿通して、支柱１で横ずれを阻止している。貫通孔７の内形は支柱１の外形よりもわずかに大きく、支柱１をスムーズに挿通できると共に、挿通する状態では、積層ブロック２の横ずれを阻止できるようにしている。
【００２０】
以上の構造の組立積層構造の門柱は、以下の工程で施工される。
(1)  地面に垂直に支柱１を固定する。
(2)  積層ブロック２の連結プレート部４に設けている貫通孔７を支柱１に挿通して、複数の積層ブロック２を次々と上に積層する。このとき、嵌合凸部５を嵌合凹部６に案内して、上下の積層ブロック２を横ずれしないように、定位置に積層する。
(3)  最後に、積層ブロック２の上端開口部に笠木９を載せる。笠木９はＧＲＣで製作されて、積層ブロック２の中空柱部３に嵌合できる連結突出１０を下面に設けており、この連結突出１０を中空柱部３に入れて定位置に載せられる。
【００２１】
以上の状態で多段に積層された積層ブロック２は、中空柱部３の一方の端部の横ずれを、連結プレート部４の貫通孔７に支柱１を入れている構造で阻止し、他方の横ずれを嵌合凸部５を嵌合凹部６に案内する構造で阻止する。
【図面の簡単な説明】
【００２２】
【図１】本発明の一実施例にかかる組立積層構造の門柱の断面図である。
【図２】図１に示す門柱の下部の拡大断面図である。
【図３】図１に示す門柱の上部の拡大断面図である。
【図４】図１に示す門柱の水平断面図である。
【図５】中空柱部の一例を示す斜視図である。
【符号の説明】
【００２３】
１…支柱
２…積層ブロック
３…中空柱部
４…連結プレート部
５…嵌合凸部
６…嵌合凹部
７…貫通孔
８…化粧パネル
９…笠木
１０…連結突出
１１…化粧基礎ユニット  １１Ａ…角パイプ部    １１Ｂ…フランジ部
１２…モルタル
【図１】
2005248544.tif 000003
【図２】
2005248544.tif 000004
【図３】
2005248544.tif 000005
【図４】
2005248544.tif 000006
【図５】
2005248544.tif 000007